(57)【特許請求の範囲】
【請求項１】
底壁１２に廻り止め突起部１２１が垂下されたケースとそのケースに覆われたスリーブを具備し、
下端部がケースの底壁の固定接点片嵌合孔に挿通突出せしめられ、両側に側部カシメ切り欠き６１４，７１２とそれより下部に下部カシメ切り欠き６１５，７１３とが形成され、中央部に接続丸孔６１３，７１１が形成されたコモン固定接点端子片６１および固定接点端子片７を具備し、
上記コモン固定接点端子片と固定接点端子片のそれぞれの上端部に取り付け固定されるコモン接点６２と固定接触子７３を具備し、
長さ方向中間部の下面を上記コモン接点に係合させ先端部に可動接触子５０を設けた揺動接点本体を具備し、
プランジャ挿通孔にバイアスバネおよびプランジャをこの順に組み込んで上記揺動接点本体の上面にプランジャの先端を係合させたレバーを具備し、
上記側部カシメ切り欠き６１４，７１２及び下部カシメ切り欠き６１５，７１３に嵌合する側部カシメ片９１４′、９１４及び下部カシメ片９１３′，９１３と、上記固定接点片嵌合孔に対応して上記底壁に形成された廻り止め突起部１２１に嵌合する突起部嵌合切り欠き９１２が形成され、上記コモン固定接点端子片および固定接点端子片の双方にそれぞれ取付けられた別体の補助端子９′，９を有し、
上記コモン固定接点端子片および固定接点端子片の双方にそれぞれに上記補助端子が対接され、
さらにこれらの補助端子の両側の側部カシメ片９１４′、９１４が上記側部カシメ切り欠き６１４，７１２にはめ込め折り返されて上記端子片にカシメ付けられ、
これらの補助端子と一体の下部カシメ片９１３′，９１３が上記下部カシメ切り欠き６１５，７１３にはめ込め折り返されて上記端子片にカシメ付けられ、
これらの補助端子上端に形成された突起部嵌合切り欠き９１２内に上記廻り止め突起部１２１が嵌合されていることを特徴とするスイッチ。
【請求項２】
請求項１に記載されるスイッチにおいて、
補助端子はネジ型補助端子、半田付け型補助端子、タブ端子或いはＰＣ端子の内から選択された何れかであることを特徴とするスイッチ。
【請求項３】
請求項１および請求項２の内の何れかに記載されるスイッチにおいて、
バネ性の金属板により構成されて接触片を両側部から対向立設するブラシを具備し、
コモン固定接点端子片の上端部に水平部を形成し、ブラシおよびコモン接点をこの順で水平部を組み込みんで３者を一体化したことを特徴とするスイッチ。
【請求項４】
請求項１ないし請求項３の内の何れかに記載されるスイッチにおいて、
スリーブはその取り付け部から垂下形成されるモールド部を具備し、モールド部の先端部をコモン固定接点端子片および固定接点端子片に係合させたことを特徴とするスイッチ。
【請求項５】
請求項４に記載されるスイッチにおいて、
スリーブはその開孔部を形成する鍔部を具備し、
鍔部の下側のスリーブ内側面に対向して浅溝を形成し、この浅溝とケースの側壁の内面から突出形成される突条の先端部との間に軸受け部を形成し、
軸受け部にレバーの枢軸を嵌合したことを特徴とするスイッチ。
【発明の詳細な説明】
【０００１】
【発明の属する技術分野】
この発明は、スイッチに関し、特に、固定接点端子片に必要な形状構造の補助端子を選択取り付けるスイッチに関する。
【０００２】
【従来の技術】
スイッチは、一般に、当該スイッチの用途、使用目的に対応した特定の固定接点端子を組み込んだ状態で出来上がっている。
【０００３】
【発明が解決しようとする課題】
ところが、スイッチ本体を共通に使用してこのスイッチをネジ止め接続して使用し、或いは半田付けその他の接続をして使用したいという要請のなされる場合がある。スイッチ本体自体の構成が複雑大型である様な場合、多岐に亘る用途、使用目的に対応するスイッチを注文に即応して製造することができるとは限らない。
この発明は、スイッチの固定接点端子片に補助端子を選択取り付ける構成を採用することにより上述の問題を解消したスイッチを提供するものである。
【０００４】
【課題を解決するための手段】
請求項１：ケース１およびケースを覆うスリーブ３を具備し、ケース１の底壁１２の固定接点片嵌合孔１４に挿通突出せしめられたコモン固定接点端子片６１および固定接点端子片７を具備し、コモン固定接点端子片６１の上端部に取り付け固定されるコモン接点６２を具備し、長さ方向中間部の下面をコモン接点６２に係合させた揺動接点本体５１を具備し、プランジャ挿通孔４４にバイアスバネ４５およびプランジャ４３をこの順に組み込んで揺動接点本体５１の上面にプランジャ４３の先端を係合させたレバー４を具備し、コモン固定接点端子片６１および固定接点端子片７の双方に組み合わせる別体の補助端子９、９’を有するスイッチを構成した。
【０００５】
そして、請求項２：請求項１に記載されるスイッチにおいて、補助端子はネジ型補助端子９、半田付け型補助端子９’、タブ端子或いはＰＣ端子の内から選択された何れかであるスイッチを構成した。
また、請求項３：請求項１および請求項２の内の何れかに記載されるスイッチにおいて、バネ性の金属板により構成されて接触片６３３を両側部から対向立設するブラシ６３を具備し、コモン固定接点端子片６１の上端部に水平部６１０を形成し、ブラシ６３およびコモン接点６２をこの順で水平部６１０を組み込みんで３者を一体化したスイッチを構成した。
【０００６】
更に、請求項４：請求項１ないし請求項３の内の何れかに記載されるスイッチにおいて、スリーブ３はその取り付け部３３から垂下形成されるモールド部３４を具備し、モールド部３４の先端部をコモン固定接点端子片６１および固定接点端子片７に係合させたスイッチを構成した。
また、請求項５：請求項４に記載されるスイッチにおいて、スリーブ３はその開孔部３２を形成する鍔部３５を具備し、鍔部３５の下側のスリーブ３内側面に対向して浅溝を形成し、この浅溝とケース１の側壁１１の内面から突出形成される突条１０の先端部との間に軸受け部３５０を形成し、軸受け部３５０にレバー４の枢軸４０を嵌合したスイッチを構成した。
【０００７】
【発明の実施の形態】
この発明の実施の形態を図１および図２の実施例を参照して説明する。図１はスイッチの縦方向一部断面を示す図、図２は図１のに直交する縦方向一部断面を示す図である。
１はスイッチのケース全体を示す参照符号である。ケース１は合成樹脂材料により構成され、側壁１１および底壁１２より成る。１３は側壁１１の上端部に形成される段部である。１４は固定接点端子片７およびコモン固定接点端子片６１が挿通される固定接点片嵌合孔である。底壁１２の下面には固定接点片嵌合孔１４に対応して廻り止め突起部１２１が垂下形成されている。１０は側壁１１の内面から上に突出形成される突条である。
【０００８】
３は合成樹脂材料より成るスリーブである。スリーブ３は、後で説明されるレバー４を傾倒保持する保持孔３１、レバーに傾倒の余地を与える開孔部３２、ケース１に対する取り付け部３３、取り付け部３３から垂下形成されるモールド部３４より成る。３５は鍔部であり、この鍔部３５の下側のスリーブ３内側面に対向して浅溝を形成し、この浅溝と側壁１１の内面から突出形成される先の突条１０の先端部との間に軸受け部３５０を構成する。３０はスイッチ内部を封止するＯリングである。
【０００９】
４は操作部材であるレバーを示す。レバー４は、棒状の操作部４１、スリーブ３の保持孔３１に保持される回動する嵌合部４２、操作部４１の下端部に形成されるプランジャ挿通孔４４、レバー４全体を支える枢軸４０より成る。プランジャ挿通孔４４には、バイアスバネ４５およびプランジャ４３がこの順に組み込まれる。
５１は揺動接点本体を示す。揺動接点本体５１はその先端部下面に可動接触子５０が固定され、後端部は屈曲部５２１とされている。
【００１０】
図３を参照するに、固定接点端子片７はケースの底壁１２に形成される固定接点片嵌合孔１４を貫通突出して固定される。固定接点端子片７の上端部は水平に屈曲して底壁１２内面に固定される接触子担持片７２とされている。接触子担持片７２には固定接点端子片７を固定する接触子貫通孔７２１が形成されている。７１１は接続丸孔、７１２は側部カシメ切り欠き、７１３は下部カシメ切り欠きである。
図４を参照するに、６１はコモン固定接点端子片である。コモン固定接点端子片６１は揺動接点本体５１の中間部を下から支持する支持部を構成している。即ち、コモン固定接点端子片６１はその上端部を直角に屈曲して水平部６１０とされ、これにはコモン接点６２が取り付けられる。水平部６１０に対するコモン接点６２の取り付けは、水平部６１０側に切り欠き６１１および角孔６１２を形成すると共に、コモン接点６２側に切り欠き６１１に対応する係止片６２１および角孔６１２に対応する垂下片６２２を形成して行われる。６３はバネ性の金属板により構成されるブラシであり、接触片６３３を両側部から対向立設している。このブラシ３は、水平部６１０にコモン接点６２を取り付けるに際してこれらの間に介在せしめられる。ブラシ６３の後部切り欠き６３１はコモン接点６２の係止片６２１および水平部６１０の切り欠き６１１に対応し、前部切り欠き６３２は垂下片６２２および角孔６１２に対応する。コモン固定接点端子片６１にも、固定接点端子片７に対応して、接続丸孔６１３、側部カシメ切り欠き６１４、下部カシメ切り欠き６１５が形成されている。６２３は直立した支持切り欠き部を示す。
【００１１】
図５を参照してネジ型補助端子を説明する。ネジ型補助端子９の本体部９０の中間部にはネジ孔９１１が形成され、その上端部には底壁１２に垂下形成される廻り止め突起部１２１が嵌合する突起部嵌合切り欠き９１２が形成され、その下端部には下部カシメ片９１３が形成され、その上端両側部には側部カシメ片９１４が形成されている。
図６を参照して半田付け型補助端子を説明する。半田付け型補助端子９’の本体部９０’の上半部にはネジ孔９１１’が形成され、その上端部には底壁１２に垂下形成される廻り止め突起部１２１が嵌合する突起部嵌合切り欠き９１２’が形成され、その下半部には下部カシメ片９１３’が形成され、その上端両側部には側部カシメ片９１４’が形成され、その下端部近傍には導体挿通孔９１５’が形成されている。
【００１２】
ここで、以上のスイッチの組み立て方について説明する。
コモン固定接点端子片６１の水平部６１０にブラシ６３およびコモン接点６２をこの順で組み込み、係止片６２１および垂下片６２２を水平部６１０にカシメ付けて３者一体化する。固定接点端子片７の接触子担持片７２に固定接触子７３を固定する。コモン固定接点端子片６１および固定接点端子片７を底壁１２の固定接点片嵌合孔１４に挿通突出せしめる。そして、コモン接点６２の支持切り欠き部６２３に揺動接点本体５１の長さ方向中間部下面を係合させる。ここで、プランジャ挿通孔４４にバイアスバネ４５およびプランジャ４３をこの順に組み込んだレバー４を揺動接点本体５１の上面にプランジャ４３の先端を係合させ、枢軸４０を側壁１１の内面から突出形成される突条１０の上端部に位置決めした状態で、スリーブ３をこれにレバー４を挿通しケース１に係合させ、固定部材１３０により取り付ける。この場合、嵌合部４２と鍔部３５の間にＯリング３０を介在させると共に、軸受け部３５０を構成する浅溝に枢軸４０を位置決めしてスリーブ３をケース１に係合させる。組み立てられた状態で、取り付け部３３から垂下形成されるモールド部３４の先端部をコモン固定接点端子片６１および固定接点端子片７に係合させて、これにより端子片の浮き或いは抜けを阻止することができる。そして、浅溝を含む軸受け部３５０にレバー４の枢軸４０が嵌合することにより、レバー４は枢軸４０のみを回動軸とする回動をする。
【００１３】
以上の通りに組み立てられたスイッチは接点の開放状態にある。ここで、レバー４を操作して枢軸４０を軸として回動すると、プランジャ４３はバイアスバネ４５により揺動接点本体５１の上面に圧し付けられた状態で摺動し、その先端が揺動接点本体５１とコモン接点６２の支持切り欠き部６２３の係合部を通過する瞬間に揺動接点本体５１は反転する。これにより可動接触子５０は固定接触子７０に係合接触し、この状態はプランジャ４３を介してバイアスバネ４５により閉成保持される。
【００１４】
以上の図１および図２のスイッチはコモン固定接点端子片６１および固定接点端子片７に図５により図示説明されるネジ型補助端子９を取り付けた実施例である。図７および図８のスイッチはコモン固定接点端子片６１および固定接点端子片７に図６により図示説明される半田付け型補助端子９’を取り付けた実施例である。
【００１５】
【発明の効果】
以上の通りであって、この発明によれば、スイッチの固定接点端子片に補助端子を選択取り付ける構成を採用することにより、スイッチ本体を共通に使用して必要とされる形状構造の固定接点端子を具備するスイッチを直ちに準備、供給することができる。補助端子の実施例としてネジ型補助端子および半田付け型補助端子が図示説明されているが、金属の平型細長片より成る断面角型の雌型端子に挿入嵌合して使用されるタブ端子、或いはプリント配線板のスルーホールに挿通して電気回路に接続されるＰＣ端子の如きこれら以外の形状構造の補助端子を固定接点端子片に選択取り付けてその要請に対応することができる。結局、固定接点端子片を有するスイッチ本体と多種類の補助端子を準備しておき、固定接点端子片に補助端子を選択取り付ける構成を採用することにより、多岐に亘る用途、使用目的のスイッチの注文に即応することができる。
【００１６】
そして、コモン固定接点端子片６１の水平部６１０にブラシ６３およびコモン接点６２をこの順で組み込み、係止片６２１および垂下片６２２を水平部６１０にカシメ付けることにより３者の一体化は容易に実施することができる。この一体化により、ブラシ６３の両側部から対向立設する接触片６３３が揺動接点本体５１の両側部に弾性的に常に良好に電気接触してその間にアークは殆ど発生しないし、揺動接点本体５１が電気機械的に接触係合するコモン接点６２とコモン固定接点端子片６１の間にバネ性の金属板により構成されるブラシ６３を強固に固定しているので、揺動接点本体５１とコモン固定接点端子片６１は常に良好に電気接続することとなる。
【００１７】
また、組み立てられた状態で、スリーブ３の取り付け部３３から垂下形成されるモールド部３４の先端部をコモン固定接点端子片６１および固定接点端子片７に係合させ、浮き或いは抜けを阻止することができる。従来、モールド部３４は独立した複数部品により構成されており、これら部品の製造保管、スイッチ組み立てにおける組み込みは煩雑な作業であったが、この発明はモールド部３４をスリーブ３の成型時に一体に成型製造することにより、これら煩雑な作業は一挙に解消される。
【図面の簡単な説明】
【図１】実施例の縦方向一部断面を示す図。
【図２】図１の断面に直交する縦方向断面を示す図。
【図３】固定接点端子片を説明する図。
【図４】コモン固定接点端子片を説明する図。
【図５】ネジ型補助端子を説明する図。
【図６】半田付け型補助端子を説明する図。
【図７】他の実施例の縦方向一部断面を示す図。
【図８】図７の断面に直交する縦方向断面を示す図。
【符号の説明】
１  ケース
３  スリーブ
１２  底壁
１４  固定接点片嵌合孔
６１  コモン固定接点端子片
７  固定接点端子片
６２  コモン接点
５１  揺動接点本体
４４  プランジャ挿通孔
４５  バイアスバネ
４３  プランジャ
４  レバー
９、９’補助端子
【図１】
0003682858.tif 000002
【図２】
0003682858.tif 000003
【図３】
0003682858.tif 000004
【図４】
0003682858.tif 000005
【図５】
0003682858.tif 000006
【図６】
0003682858.tif 000007
【図７】
0003682858.tif 000008
【図８】
0003682858.tif 000009